(57)【特許請求の範囲】
【請求項１】
トイレットペーパーホルダを構成する両側壁に設けた、トイレットペーパーホルダの交換構造であって、
一方の側壁に回動自在に枢支される回転部と、
前記回転部に摺動自在に取り付けられる腕部と、
前記腕部の両端近傍に設けてある二つの支持部と、
前記回転部の枢支軸心において、前記一方の支持部の軸心と一致する位置から他方の支持部の軸心と一致する位置まで、前記腕部の摺動を制限する摺動制限部と、を少なくとも具備し、
前記腕部を摺動させ、前記回転部を回転させることにより、前記支持部の配置を交互に入れ替え可能とし、
他方の側壁に、前記支持部の先端を支持する先端支持部を設けてあることを特徴とする、
トイレットペーパーホルダの交換構造。
【請求項２】
請求項１に記載のトイレットペーパーホルダの交換構造であって、前記摺動制限部は、前記腕部或いは支持部に設けた突起であって、該突起が前記腕部の自重でもって前記回転部に係止されることを特徴とする、トイレットペーパーホルダの交換構造。
【請求項３】
請求項１に記載のトイレットペーパーホルダの交換構造であって、前記摺動制限部は、前記腕部の両端に設けた張出部であって、該張出部が前記腕部の自重でもって前記回転部に係止されることを特徴とする、トイレットペーパーホルダの交換構造。
【請求項４】
トイレットペーパーホルダを構成する両側壁に設けた、トイレットペーパーホルダの交換構造であって、
一方の側壁に取付けられた鍔部と、
前記鍔部が内包され摺動自在に取り付けられる腕部と、
前記腕部の両端近傍に設けてある二つの支持部と、
前記腕部の外殻を構成し、前記鍔部の中心軸心において、前記一方の支持部の軸心と一致する位置から他方の支持部の軸心と一致する位置まで、前記腕部の摺動を制限する摺動制限部と、を少なくとも具備し、
前記腕部を摺動させ、当該腕部を回転させることにより、前記支持部の配置を交互に入れ替え可能とし、
他方の側壁に、前記支持部の先端を支持する先端支持部を設けてあることを特徴とする、
トイレットペーパーホルダの交換構造。
【発明の詳細な説明】
【技術分野】
【０００１】
本発明は、トイレットペーパーを容易に交換可能なトイレットペーパーホルダの交換構造に関し、より詳しくは、トイレットペーパーホルダを構成する側壁の内側に設けて、トイレットペーパーを片持ち支持する、トイレットペーパーホルダの交換構造である。
【背景技術】
【０００２】
トイレットペーパーの種類には、中空部分を厚紙でできた芯を省略したいわゆるノンコア型が経済性や環境面において優れており、シェアを伸ばしている。
【０００３】
従来知られるトイレットペーパーホルダの構造は、側壁に中空のロール体であるトイレットペーパを軸支する支持部を設けてあり、トイレットペーパを下方から押し込んで前記支持部を上方に折りたたみ、トイレットペーパの中空部分で支持部の折りたたみが自重或いは弾性力によって解放されて元に戻ることによって、トイレットペーパを軸支するものが知られている。
【０００４】
しかし、ノンコア型に用いられるトイレットペーパーホルダは、芯の中空部分の径が小さいため、前記説明したコア型に用いられる支持部の折りたたみ機構が採用できない。
【０００５】
そこで、ノンコア型のトイレットペーパーホルダにおける簡易な交換構造は、支持部を側壁から取り外し可能に構成してあり、取り外してから新規のトイレットペーパーを装着したのち、支持部を側壁に係止し直す方法が一般的となっている。
【０００６】
その他、交換用のトイレットペーパーの保管場所は、トイレットペーパーホルダの下方に交換用のトイレットペーパーを収納するための袋などを取り付けてあることが一般的である。
【発明の開示】
【発明が解決しようとする課題】
【０００７】
しかし、従来の交換構造では、以下のような問題点が存在するほか、以下のような機能が所望されていた。
（１）支持部の取り外し作業及び装着作業は、高齢者や幼児にとって作業が複雑で好ましくない。
（２）新たなトイレットペーパーを保管場所からわざわざ取り出すことなく、使用者が簡易に交換作業を行うことのできる交換構造であること。
（３）部品点数が多く、機構が複雑且つ大がかりになることのないトイレットペーパーホルダの交換構造が望まれていた。
【０００８】
本発明は、上記従来の問題の解決、或いは所望される機能の実現のためになされたもので、簡易な構造であると同時に、使用者が簡単にトイレットペーパを交換することのできる、トイレットペーパーホルダの交換構造を提供することを目的とする。
【課題を解決するための手段】
【０００９】
そこで、本願の第１発明は、トイレットペーパーホルダを構成する両側壁に設けた、トイレットペーパーホルダの交換構造であって、一方の側壁に回動自在に枢支される回転部と、前記回転部に摺動自在に取り付けられる腕部と、前記腕部の両端近傍に設けてある二つの支持部と、前記回転部の枢支軸心において、前記一方の支持部の軸心と一致する位置から他方の支持部の軸心と一致する位置まで、前記腕部の摺動を制限する摺動制限部と、を少なくとも具備し、前記腕部を摺動させ、前記回転部を回転させることにより、前記支持部の配置を交互に入れ替え可能とし、他方の側壁に、前記支持部の先端を支持する先端支持部を設けてあることを特徴とする、トイレットペーパーホルダの交換構造であることを要旨としている。
【００１０】
また、本願の第２発明は、前記第１発明に記載のトイレットペーパーの交換構造であって、前記摺動制限部は、前記腕部或いは支持部に設けた突起であって、該突起が前記腕部の自重でもって前記回転部に係止されることを特徴とする、トイレットペーパーホルダの交換構造であることを要旨としている。
【００１１】
また、本願の第３発明は、前記第１発明に記載のトイレットペーパーホルダの交換構造であって、前記摺動制限部は、前記腕部の両端に設けた張出部であって、該張出部が前記腕部の自重でもって前記回転部に係止されることを特徴とする、トイレットペーパーホルダの交換構造であることを要旨としている。
【００１２】
また、本願の第４発明は、トイレットペーパーホルダの一方の側壁に設けた、トイレットペーパーホルダの交換構造であって、前記側壁に取付けられた鍔部と、前記鍔部が内包され摺動自在に取り付けられる腕部と、前記腕部の両端近傍に設けてある二つの支持部と、前記回転部の枢支軸心において、前記一方の支持部の軸心と一致する位置から他方の支持部の軸心と一致する位置まで、前記腕部の摺動を制限する摺動制限部と、を少なくとも具備し、前記腕部を摺動させ、当該腕  また、本願の第４発明は、トイレットペーパーホルダを構成する両側壁に設けた、トイレットペーパーホルダの交換構造であって、一方の側壁に取付けられた鍔部と、前記鍔部が内包され摺動自在に取り付けられる腕部と、前記腕部の両端近傍に設けてある二つの支持部と、前記腕部の外殻を構成し、前記鍔部の中心軸心において、前記一方の支持部の軸心と一致する位置から他方の支持部の軸心と一致する位置まで、前記腕部の摺動を制限する摺動制限部と、を少なくとも具備し、前記腕部を摺動させ、当該腕部を回転させることにより、前記支持部の配置を交互に入れ替え可能とし、他方の側壁に、前記支持部の先端を支持する先端支持部を設けてあることを特徴とする、トイレットペーパーホルダの交換構造であることを要旨としている。
【発明の効果】
【００１４】
以上のように、本発明によると下記の効果のうち、少なくとも一つを得ることができる。
（１）トイレットペーパーの交換時には、一方の支持部を持ち上げてスライドし、腕部を回転させるだけで支持部の配置が入れ替わるため、作業が簡単で幼児や高齢者であっても容易に交換作業を行うことができる。
（２）腕部が、側壁に設けた回転部に自重でもって係止されるため、複雑な機構を設けずとも、安定して使用することができる。
（３）他方の側壁に先端支持部を設けることにより、支持部の先端が支持されるため、使用中において、より安定した使用感が得られる。
【発明を実施するための最良の形態】
【００１５】
以下、図面を参照しながら本発明の実施の形態について説明する。
【実施例１】
【００１６】
＜１＞全体構成
図１は、本発明の第１実施例を示す概略斜視図である。
本発明のトイレットペーパーホルダの交換構造は、該ホルダを構成する側壁の一方に設けた構造である。
【００１７】
本発明のトイレットペーパーホルダの交換構造は、前記側壁Ａに回動自在に枢支される回転部１０と、前記回転部に摺動自在に取り付けられる腕部２０と、前記腕部２０の両端近傍に設けてある二つの支持部３１、３２と、前記回転部１０の枢支軸心において、前記一方の支持部３１の軸心と一致する位置から他方の支持部３２の軸心と一致する位置まで前記腕部２０の摺動を制限する摺動制限部Ｙと、を少なくとも具備して構成される。
【００１８】
＜２＞回転部１０
図２は、本発明の交換構造の側面図（ａ）、Ｉ−Ｉ間の正面断面図（ｂ）、ＩＩ−ＩＩ間の上面断面図（ｃ）である。
回転部１０は枢支軸１１を有し、当該枢支軸１１でもって側壁Ａに枢支可能に取り付けられる。また回転部１０の内部には摺動溝１２を設けておき、当該摺動溝１２によって腕部２０が摺動可能となるように構成される。
【００１９】
＜３＞腕部２０、支持部３１、３２
腕部２０は、前記回転部１０に設けた摺動溝１１の内部で摺動する長手状の部材である。
また、腕部２０の長手方向の両端近傍に、トイレットペーパを軸支するための支持部が２つ取り付けられている（支持部３１、３２）。前記支持部は、腕部２０の面方向に垂直かつ互いに平行となるように取り付けておくことが望ましい。
なお、支持部３１、３２には、図３に示すように、トイレットペーパの中空径の相違に対応するように別途アタッチメント４０を設けておいても良い。
【００２０】
＜４＞摺動制限部Ｙ
摺動制限部Ｙは、前記回転部１０の枢支軸１１の軸心において、一方の支持部３１の軸心とが重なる位置から、他方の支持部３２の軸心とが重なる位置までに、腕部２０の摺動を制限する部材である。
本実施例における摺動制限部Ｙは、支持部に設けた突起３１１と、回転部１０に設けたスリットの段差部１２によって構成される。
前記突起３１１は、前記枢支軸１１と支持部３１の軸心とが重なる位置で腕部２０の摺動が制限されるように、前記段差溝１３に当該腕部２０の自重でもって係止される。
また、腕部２０を上方に摺動させた場合に、前記枢支軸１１の軸心と他方の支持部３２の軸心とが重なる位置で摺動が制限されるように、同じように回転部１０に段差溝１３と、他方の支持部３２に突起３２１を設けておく。
【００２１】
＜５＞交換肯定
図４に、本実施例における、トイレットペーパーホルダの交換工程の概略図をしめす。
通常時は一方の支持部３１の軸心と、回転部１０の枢支軸１１の軸心とが一致する状態で使用されている。
【００２２】
［支持部の持ち上げ］
トイレットペーパの交換時には、一方の支持部３１を上方に持ち上げる（図４（ａ））。そうすると、腕部２０は回転部１０内で摺動し、他方の支持部３２の軸心と回転部１０の枢支軸１１の軸心とが一致する時点で、段差溝１４が突起部３２１と干渉して、腕部２０の摺動を制限する（図４（ｂ））。
【００２３】
［腕部の回転、支持部の入れ替え］
図４（ｂ）の状態から、腕部２０を手前に引き込むと同時に回転部１０が回転し、一方の支持部３１が下方に配置され、他方の支持部３２に設けた突起部３２１が、段差溝１４に当該腕部の自重でもって係止される。すなわち、支持部３１、３２の位置が入れ替わった状態となる（図４（ｃ））。
枢支軸１１と支持部３２の軸心とが一致する状態で腕部２０を回転させることにより、軸支されたトイレットペーパーＲが、腕部２０の回転時にぶれることなく、スムーズに交換作業を行うことができる。
その後、下方に配置された支持部３１に対して新たな交換用のトイレットペーパを収納してストックしておき、上記作業を繰り返して交換作業を簡易に行うものである。
【００２４】
［その他の交換方法］
なお、本実施例においては、他方の支持部３２の軸心と回転部１０の枢支軸１１の軸心とが一致する箇所まで腕部２０を引き上げた後に回転作業を行うものであるが、当該回転作業は、前記軸心が一致するまで腕部２０の引き上げを必要とするものではない。ある程度腕部２０を引き上げると、後は一方の支持部３１の自重でもって自然に腕部２０が回転して突起３２１が段差溝１４に係止するため、他方の支持部３２の軸心と回転部１０の枢支軸１１の軸心とが一致しなくても、回転作業を行うことができる。
【実施例２】
【００２５】
図５は、本発明における摺動制限部の他の実施例を示す側面概略図である。
本実施例における摺動制限部Ｙは、腕部２０の両端に設けた張出部２１と、回転部１０の摺動溝１２との関係によって、腕部２０の摺動を制限する。
すなわち、張出部２１は、回転部１０の枢支軸１１の軸心と、支持部３１、３２の軸心とが一致する箇所の範囲内において、腕部２０の摺動を制限するように、摺動溝１２の横幅Ｌ１より大きい横幅長Ｌ２によって、張出部２１が回転部１０に係止されるように構成される。
本実施例の交換作業は、実施例１の作業と同様であるため、説明を省略する。
【実施例３】
【００２６】
図６は、本発明における摺動制限部の他の実施例を示す側面概略図（ａ）及び正面概略図（ｂ）である。
本実施例における摺動制限部Ｙは、腕部の両端に設けた張出部２１であって、回転部１０の摺動溝１２との関係によって、腕部２０の摺動を制限する。
すなわち、張出部２１は、回転部１０の枢支軸１１の軸心と、支持部３１、３２の軸心とが一致する箇所の範囲内において、腕部２０の摺動を制限するように、摺動溝１２の奥行き幅Ｔ１より大きい奥行き幅Ｔ２でもって張出部２１が回転部１０に係止されるように構成される。
本実施例の交換作業は、実施例１の作業と同様であるため、説明を省略する。
【実施例４】
【００２７】
図７は、本発明における摺動制限部の他の実施例を示す正面概略図（ａ）、ＩＩＩ−ＩＩＩ断面間の概略図（ｂ）、上面概略図（ｃ）、ＩＶ−ＩＶ断面間の概略図（ｄ）である。
本実施例における摺動制限部Ｙは、支持部３１、３２そのものであって、回転部１０に設けた段差溝１３、１４との関係によって、腕部２０の摺動を制限する点において、実施例１と相違する。
【００２８】
図７（ａ）の状態から、腕部２０を上に摺動させると、支持部３１の根元に設けた凹部３１２と段差溝１３が干渉せず、支持部３２の根元に設けた凹部３２２と段差溝１４とが干渉しないため、腕部２０の摺動が制限されることはない。しかし、支持部３２と段差溝１３との関係及び支持部３１と段差溝１４においては、互いに干渉して摺動が制限されることとなる。
上記干渉を利用して、前記鍔部５０の中心軸において、前記一方の支持部３１の軸心と一致する位置から他方の支持部３２の軸心と一致する位置まで、前記腕部２０の摺動を制限するものである。
本実施例の交換作業は、実施例１の作業と同様であるため、説明を省略する。
【実施例５】
【００２９】
図８は本発明における交換構造の他の実施例を示す正面概略図（ａ）及びＩＶ−ＩＶ断面間の概略図（ｂ）である。
本実施例と、実施例１の違いは、実施例１において側壁Ａに枢支されていた回転部１０を、側壁Ａに固定されてある鍔部５０に置き換え、腕部２０を前記鍔部５０を内包するように構成された中空部材とした点である。
すなわち、本実施例における摺動制限部Ｙは腕部２０の外殻２２であって、鍔部５０との関係によって、腕部２０の摺動を制限するように構成したものである。
すなわち、腕部２０の外殻２２が自重によって鍔部５０に係止されており、当該係止位置において、支持部３１の軸心と、鍔部５０の中心軸の軸心とが一致するように構成したものである。
本実施例の交換作業は、腕部２０のみを回転させる点以外は、実施例１の作業とほぼ同様であるため、説明を省略する。
【実施例６】
【００３０】
次に、本願の第６実施例について説明する。
図９は、他方の側壁Ｂに設けた先端支持部の実施例の概略図である。
本実施例における、支持部の先端支持構造は、前記の第１実施例乃至第５実施例において説明した何れかの発明において、他方の側壁Ｂに、支持部の先端を支持するための掛止部６０を更に設けたものによって構成される。
【００３１】
掛止部６０は、窪み部６１と、一方の支持部３２の先端の移動を案内するため、窪み部６１の一端から上方に延伸して形成される第１案内部６２、及び他方の支持部３２の移動を案内するため、窪み部６１の他端から下方に延伸して第２案内部６３からなる。
先端支持部６０は、図９（ａ）のように、側壁Ｂに別途部材を取付けて形成しても良いし、図９（ｂ）のように側壁Ｂそのものに溝を設けて形成してもよい。
【００３２】
次に、トイレットペーパの交換時における、掛止部６０周辺における前記支持部３１、３２の先端の動作について説明する。
図１０は、図９（ａ）における掛止部６０周辺の支持部先端の移動軌跡を示す概略図である。
支持部３１が窪み部６１によって支持されている状態で、支持部３１を引き上げると、他方の支持部３２も同様に引き上げられる。（ｓ１００）
第１案内部６２は、支持部３１の引き上げ時に、支持部３２がよりスムーズに引き上げられるための、ガイドとなる。
他方の支持部３２が掛止部６０に接触すると、第２案内部６３上を摺動しながら引き上げられる。（ｓ１０１）
一方の支持部３１がある程度引き上げられると、、後は当該支持部３１の自重でもって自然に腕部２０が回転するため、他方の支持部３２が回り込むように第１案内部６２上を摺動し窪み部上に配される。（ｓ１０２）
なお、本来、一方の側壁Ａに設けてある摺動制限部Ｙにより、前記回転部１０の枢支軸心と、支持部３１、３２の軸心とが一致する箇所までで移動が制限されてしまう。しかし、支持部が枢支軸心に対して回り込むように移動するため、窪み部を形成する突起を越える若干の遊びが生まれるため、支持部を窪み部に配置することができる。
なお、支持部の軸先を錐状（先細り形状）に形成しておくとより、支持部の先端近傍に遊びが生まれるため、より配置しやすい。
【実施例７】
【００３３】
次に、本願の第７実施例について説明する。
図１１は、他方の側壁Ｂに設けた先端支持部のその他の実施例の概略図である。
本実施例による先端支持部の支持構造は、側壁Ｂに設けた溝Ｂ１に取り付けられた可動部材７０と、支持部３１、３２の先端に取り付けてある先端部材３１３、３２３の組み合わせからなる。
可動部材７０は、支持部３１、３２の軸方向に対して折曲して「くの字」状に形成してある部材であって、側壁に設けた溝の幅方向を軸として枢支される。また、前記溝Ｂ１に設けた段差部Ｂ２と干渉させることにより、当該溝Ｂ１の解放面側への回動を制限してある。
先端部材３１３、３２３は、トイレットペーパの使用時において支持部３１、３２の軸心から下方向に偏心した位置に頂点を有する錘状の部材である。
【００３４】
次に、トイレットペーパの交換時における、可動部材７０と先端部材３１３、３２３による掛止構造の動作について説明する。
図１２は、可動部材７０と先端部材３１３、３２３による掛止構造の動作の概略図である。
まず、一方の支持部３１が上方へ引き上げられると（図１２（ａ））、他方の支持部３２の先端部材３２３が可動部材７０の折曲部分に干渉する（図１２（ｂ））。可動部材７０は、前記先端部材３２３によって溝Ｂ１の奥行き方向に回動して支持部３２の移動、通過を許容する。
その後、回転部１０の枢支軸と当該支持部３２の軸心とが一致した時点において、可動部材７０は少なくとも自重でもって所定の位置に戻っていることとなる。（図１２（ｃ））。
その後、腕部２０とともに支持部３２が回転すると、支持部３２の先端部材３２３が可動部材７０の上面に接して支持されることとなる。
したがって、上記掛止構造によれば、前記第６実施例の掛止構造と比較して、回転部１０の枢支軸の軸心に回り込むように支持部３２を移動させずとも、支持部３２の先端部材３２３の頂点と、前記軸心とのずれを利用して、支持部３２を支持させることができる。
【図面の簡単な説明】
【００３５】
【図１】本発明の第１実施例における交換構造の概略斜視図。
【図２】図１における交換構造の側面図（ａ）、Ｉ−Ｉ間の正面断面図（ｂ）、ＩＩ−ＩＩ間の上面断面図（ｃ）。
【図３】図１において支持部にアタッチメントを取り付けた際の概略図。
【図４】図１の交換構造における交換工程の概略図。
【図５】本発明の第２実施例における交換構造の概略側面図。
【図６】本発明の第３実施例における交換構造の側面概略図（ａ）及び正面概略図（ｂ）。
【図７】本発明の第４実施例における交換構造の正面概略図（ａ）、ＩＩＩ−ＩＩＩ断面間の概略図（ｂ）、上面概略図（ｃ）、ＩＶ−ＩＶ断面間の概略図（ｄ）
【図８】本発明の第５実施例における交換構造の正面概略図（ａ）及びＩＶ−ＩＶ断面間の概略図（ｂ）。
【図９】本発明の第６実施例における先端支持構造の実施例の概略斜視図。
【図１０】本発明の第６実施例における掛止部周辺の支持部の移動軌跡を示す概略図。
【図１１】本発明の第７実施例における先端支持構造のその他の実施例の概略図。
【図１２】本発明の第７実施例における先端支持構造の動作の概略図。
【符号の説明】
【００３６】
１０            回転部
１１            枢支軸
１２            摺動溝
１３、１４      段差溝
２０            腕部
２１            張出部
２２            外殻
３１、３２      支持部
３１１、３２１  突起
３１２、３２２  凹部
３１３、３２３  先端部材
４０            アタッチメント
５０            鍔部
Ａ、Ｂ          側壁
Ｂ１            溝
Ｂ２            段差
６０            掛止部
６１            窪み部
６２            第１案内図
６３            第２案内図
７０            可動部
Ｙ              摺動制限部
Ｒ              トイレットペーパ
【図１】
0005138283.tif 000002
【図２】
0005138283.tif 000003
【図３】
0005138283.tif 000004
【図４】
0005138283.tif 000005
【図５】
0005138283.tif 000006
【図６】
0005138283.tif 000007
【図７】
0005138283.tif 000008
【図８】
0005138283.tif 000009
【図９】
0005138283.tif 000010
【図１０】
0005138283.tif 000011
【図１１】
0005138283.tif 000012
【図１２】
0005138283.tif 000013